(57)【特許請求の範囲】
【請求項１】
オープン型のトンネル掘削機の前部上方を覆うように設けられるトンネル掘削機のルーフサポートシューにおいて、当該ルーフサポートシューのトンネル掘削面に接触する領域の大きさをトンネル周方向に調整可能とすることを特徴とするトンネル掘削機のルーフサポートシュー。
【請求項２】
本体部とその本体部の側方に設けられる延設部とに分割し、この延設部を前記本体部に対しボルトにより着脱可能に設けることを特徴とする請求項１に記載のトンネル掘削機のルーフサポートシュー。
【請求項３】
本体部とその本体部の側方に設けられる延設部とに分割し、この延設部を収容時に前記本体部に重なるようにその本体部に対しスライド可能に設けることを特徴とする請求項１に記載のトンネル掘削機のルーフサポートシュー。
【請求項４】
本体部とその本体部の側方に設けられる延設部とに分割し、この延設部を前記本体部に対しトンネル掘削面から離れる方向に折り畳み可能に設けることを特徴とする請求項１に記載のトンネル掘削機のルーフサポートシュー。
【発明の詳細な説明】
【０００１】
【産業上の利用分野】
本発明は、トンネル掘削機のルーフサポートシューに関し、より詳しくはオープン型のトンネル掘削機の前部上方を覆うように設けられるトンネル掘削機のルーフサポートシューに関するものである。
【０００２】
【従来の技術】
通常、オープン型岩盤掘削機を使用する地山は事前調査にあたって良好と判断される場合が多い。しかし我国の地山は複合地山が多いため、急激に地山状態が悪くなることがしばしば生じる。
【０００３】
【発明が解決しようとする課題】
そこで、地山を観察しやすいように覆い角の小さいルーフサポートシューを採用することがある。この覆い角の小さいルーフサポートシューは掘進時抵抗が小さくメンテナンス性も良いという利点があるが、不良地山が出現したときに安全対策のために坑内においてルーフサポートシューの覆い角を大きくするような改良工事が必要であり、非常に手間がかかるという問題点がある。
【０００４】
一方、地山が悪くなることを想定して覆い角の大きいルーフサポートシューを採用することがある。この覆い角の大きいルーフサポートシューを備えておれば安全性は確保されるが、地山を観察し難い、メンテナンス性が悪い、掘進時抵抗が大きくエネルギーロスが大きい等の問題点がある。
【０００５】
本発明はこのような問題点を解消するためになされたものであり、地山の状況に応じて安全性，地山観察性，メンテナンス性，掘進時抵抗を小さくすることのいずれの要請をも満たすことのできるトンネル掘削機のルーフサポートシューを提供することを目的とするものである。
【０００６】
【課題を解決するための手段および作用・効果】
本発明によるトンネル掘削機のルーフサポートシューは、前記目的を達成するために、
オープン型のトンネル掘削機の前部上方を覆うように設けられるトンネル掘削機のルーフサポートシューにおいて、当該ルーフサポートシューのトンネル掘削面に接触する領域の大きさをトンネル周方向に調整可能とすることを特徴とするものである。
【０００７】
本発明のトンネル掘削機のルーフサポートシューによれば、地山が良好な場合には、ルーフサポートシューのトンネル掘削面に接触する領域の大きさが小さくされる。これによって、掘進時抵抗を小さくすることができると共に地山を充分に観察することができる。また、ルーフサポートシューにかかる抵抗が小さいのでそのルーフサポートシューの損傷が少ないとともに、損傷した場合には大きさが小さいので補修も容易であってメンテナンス性にも優れている。一方、地山が悪くなった場合には、このルーフサポートシューの大きさを大きくすることにより崩落物からトンネル掘削機内部を確実に保護することができ安全性を高めることができる。
【０００８】
本発明のトンネル掘削機のルーフサポートシューにおいて、このルーフサポートシューの大きさを調整する方式として、前記ルーフサポートシューを本体部とその本体部の側方に設けられる延設部とに分割し、この延設部を前記本体部に対しボルトにより着脱可能に設けることができる。この方式によれば、延設部を邪魔にならない場所に片づけておくことができる。また、前記ルーフサポートシューを本体部とその本体部の側方に設けられる延設部とに分割し、この延設部を収容時に前記本体部に重なるようにその本体部に対しスライド可能に設けることができる。この方式によれば、収容時に本体部と延設部とが重なり一体化するのでその延設部が邪魔にならないとともに、延設部を脱離する手間も要らない。また、前記ルーフサポートシューを本体部とその本体部の側方に設けられる延設部とに分割し、この延設部を前記本体部に対しトンネル掘削面から離れる方向に折り畳み可能に設けることができる。この方式によれば、比較的小さな動作により延設部とトンネル掘削面との接触を解除することができ効率的である。
【０００９】
本発明の目的は、後述される詳細な説明から明らかにされる。しかしながら、詳細な説明および具体的実施例は最も好ましい実施態様について説明するが、本発明の製品および範囲内の種々の変更および変形はその詳細な説明から当業者にとって明らかであることから、具体的例として述べるものである。
【００１０】
【実施例】
次に、本発明によるトンネル掘削機のルーフサポートシューの具体的実施例につき図面を参照しつつ説明する。
【００１１】
図１に、本発明の一実施例に係るルーフサポートシュー１が装着された斜坑用のトンネル掘削機２の斜視図が示されている。
図示のように、本実施例のルーフサポートシュー１は、トンネル掘削機２の前部上方を覆うとともにトンネル掘削面に接触するように設けられ、崩落物からそのトンネル掘削機２の前部内側を保護するものである。このルーフサポートシュー１は、矢印で示される掘進方向に沿う分割線で分割されており、本体部３とその本体部３の両側方に設けられる二つの延設部４，４とからなる。
【００１２】
このルーフサポートシュー１の正面図が図２に示されている。本体部３は円弧状曲面部５を主体としてなり、この曲面部５の裏側に円弧に沿う方向のリブ６およびその曲面部５の両端部に補強用リブ７がそれぞれ設けられている。延設部４も同様に前記曲面部５に連設される曲面部５ａの裏側にリブ６ａおよび補強用リブ７ａが設けられてなる。この本体部３と延設部４との端部にはそれぞれフランジ８，フランジ８ａが設けられている。図２のＡ−Ａライン側面図が図３（ａ）に示されている。このようにフランジ８にはボルト孔９が設けられており、このフランジ８と前記延設部側のフランジ８ａとが図２に示されているようにボルト１０で締結されることにより本体部３と延設部４とが接合される。
【００１３】
このルーフサポートシュー１の本体部３は図２および図２のＢ−Ｂライン断面図である図３（ｂ）に示されているように一対の平行リンクと各平行リンクに対応してそれぞれ一本ずつ設けられる計２本のジャッキにより支持されている。このジャッキ１２を作動させることにより本体部３および延設部４，４を二点鎖線で示されているようにトンネル掘削面に接触する位置に移動させることができる。
【００１４】
本実施例のルーフサポートシュー１は、地山が良好な場合は通常、延設部４，４が取り外される。これら延設部４，４が取り外されることにより地山を充分に観察することができ、地山が悪くなったことが観察されると、これら延設部４，４が本体部３に前述のようにボルト締結されて安全性が確保される。
【００１５】
本実施例においては、延設部４，４を取り外すことによりルーフサポートシュー１のトンネル掘削面に接触する領域の大きさが調整されているが、図４（ａ）に示されているように延設部４ａ，４ａが本体部３ａの両端部にスライドして収容されることによりトンネル掘削面に接触する領域の大きさを調整するようにしてもよい。また、図４（ｂ）に示されているように本体部３ｂの両側に設けられている延設部４ｂ、４ｂがトンネル掘削機２の内側に折れ曲げられることによりトンネル掘削面に接触する領域の大きさを調整するようにすることもできる。
【００１６】
前述のように、本発明は、種々に変更可能なことは明らかである。このような変更は本発明の精神および範囲に反することなく、また当業者にとって明瞭な全てのそのような変形、変更は請求の範囲に含まれるものである。
【図面の簡単な説明】
【図１】図１は、本実施例のルーフサポートシューが装着されたトンネル掘削機の斜視図である。
【図２】図２は、本実施例のルーフサポートシューの正面図である。
【図３】図３は、本実施例のルーフサポートシューの裏側の構造を示す図であり、（ａ）はＡ−Ａライン側面図、（ｂ）はＢ−Ｂライン断面図である。
【図４】図４は、変形例に係るルーフサポートーシューの正面図である。
【符号の説明】
１  ルーフサポートシュー
２  トンネル掘削機
３  本体部
４  延設部
５  曲面
６  リブ
７  補強用リブ
８  フランジ
９  ボルト孔
１０  ボルト
１１  リンク
１２  ジャッキ
【図１】
0003559091.tif 000002
【図２】
0003559091.tif 000003
【図３】
0003559091.tif 000004
【図４】
0003559091.tif 000005